(57)【要約】      （修正有）【課題】住宅の各部屋に対してイオンクラスターを供給することのできる、住宅換気システムを提供する。【解決手段】屋外から屋内へ外気を強制的に取り込むとともに、その外気を各部屋２００ａ、２００ｂ、２００ｃに供給する住宅換気システム１であって、外気を室内に取り込む外気供給ファン２と、外気供給ファン２に連結されるとともに、壁内、天井裏および床下の少なくともいずれか一つの空間に配置される主配管３と、主配管３から分岐して各部屋２００ａ、２００ｂ、２００ｃの内部空間と連通する分岐配管４ａ、４ｂ、４ｃとを有しており、外気供給ファン２と当該外気供給ファン２に最も近い位置で分岐する分岐配管４ａとの間の主配管３に、イオンクラスター発生装置５が設置されている。【選択図】図１
0003232271.tif 000002
【実用新案登録請求の範囲】
【請求項１】
屋外から屋内へ外気を強制的に取り込むとともに、その外気を各部屋に供給する住宅換気システムであって、
外気を室内に取り込む外気供給ファンと、
前記外気供給ファンに連結されるとともに、壁内、天井裏および床下の少なくともいずれか一つの空間に配置される主配管と、
前記主配管から分岐して前記各部屋の内部空間と連通する分岐配管と
を有しており、
前記外気供給ファンと当該外気供給ファンに最も近い位置で分岐する前記分岐配管との間の前記主配管に、イオンクラスター発生装置が設置されている、前記住宅換気システム。
【請求項２】
前記イオンクラスター発生装置はイオンクラスター発生素子を備えており、前記イオンクラスター発生素子は交換可能に構成されている、請求項１に記載の住宅換気システム。
【請求項３】
前記イオンクラスター発生装置が、天井点検口近傍の天井裏空間に配置された前記主配管に設置されている、請求項１または請求項２に記載の住宅換気システム。
【考案の詳細な説明】
【技術分野】
【０００１】
本考案は、屋外から強制的に取り込まれた外気を各部屋に供給する住宅換気システムに関するものである。
【背景技術】
【０００２】
建材や家具などに含まれている化学物質により、頭痛や吐き気、めまいなどの症状が現れるシックハウス症候群が問題となっている。このような、シックハウス症候群による健康被害を防ぐために新築住宅では、換気システムを設置することが法律上義務付けられている。
【０００３】
ところで、近年では住宅内の衛生環境向上のために殺菌効果を得られる装置が開発されている。例えば、特開２０１０−５１５４０号公報には、プラズマ放電素子により空気中の酸素分子をイオン化し、多量の酸化基及び水酸化基イオン（イオンクラスター）を発生させることのできる、イオン拡散装置に関する発明が提案されている（特許文献１）。この特許文献１によると、前記イオン拡散装置により、居室に十分なイオンクラスターを供給して高い殺菌効果やウィルス不活化効果を得ることができるとされている。
【先行技術文献】
【特許文献】
【０００４】
【特許文献１】特開２０１０−５１５４０号公報
【考案の概要】
【考案が解決しようとする課題】
【０００５】
しかしながら、特許文献１に記載された考案においては、部屋ごとにイオン拡散装置を設置しなければならず、住宅全体にイオンクラスターを供給するには、導入コストが高いという問題がある。
【０００６】
本考案は、以上のような問題点を解決するためになされたものであって、住宅の各部屋に対してイオンクラスターを供給することのできる、住宅換気システムを提供することを目的としている。
【課題を解決するための手段】
【０００７】
本考案に係る住宅換気システムは、各部屋にイオンクラスターを供給するという課題を解決するために、屋外から屋内へ外気を強制的に取り込むとともに、その外気を各部屋に供給する住宅換気システムであって、外気を室内に取り込む外気供給ファンと、前記外気供給ファンに連結されるとともに、壁内、天井裏および床下の少なくともいずれか一つの空間に配置される主配管と、前記主配管から分岐して前記各部屋の内部空間と連通する分岐配管とを有しており、前記外気供給ファンと当該外気供給ファンに最も近い位置で分岐する前記分岐配管との間の前記主配管に、イオンクラスター発生装置が設置されている。
【０００８】
また、本考案の一態様として、イオンクラスターの発生能力を維持させるという課題を解決するために、前記イオンクラスター発生装置はイオンクラスター発生素子を備えており、前記イオンクラスター発生素子は交換可能に構成されていてもよい。
【０００９】
さらに、本考案の一態様として、イオンクラスター発生装置のメンテナンスを容易にするという課題を解決するために、前記イオンクラスター発生装置が、天井点検口近傍の天井裏空間に配置された前記主配管に設置されていてもよい。
【考案の効果】
【００１０】
本考案によれば、住宅を換気するとともに各部屋に対してイオンクラスターを供給することができる。
【図面の簡単な説明】
【００１１】
【図１】本考案に係る住宅換気システムの一実施形態を示す平面図である。
【図２】本実施形態の住宅換気システムを示す側面図である。
【図３】本実施形態におけるイオンクラスター発生装置の縦断面図である。
【図４】本実施形態におけるイオンクラスター発生装置の側面図である。
【考案を実施するための形態】
【００１２】
以下、本考案に係る住宅換気システムの一実施形態について図面を用いて説明する。
【００１３】
本実施形態の住宅換気システム１は、図１および図２に示すように、複数の部屋２００ａ，２００ｂ，２００ｃを備えた住宅１００に設置されるシステムであって、外気を室内に取り込む外気供給ファン２と、前記外気供給ファン２に連結される主配管３と、前記主配管３から分岐して前記各部屋２００ａ，２００ｂ，２００ｃの内部空間と連通する分岐配管４ａ，４ｂ，４ｃと、前記主配管３に設置されるイオンクラスター発生装置５とを有する。以下、各構成について詳細に説明する。
【００１４】
なお、本実施形態における部屋とは、リビング、ダイニング、キッチン、寝室、居室、バスルーム、トイレ、廊下などの、住宅内において壁、床および天井などにより区切られた住人が生活するための空間である。
【００１５】
外気供給ファン２は、換気のために屋外から屋内へ外気を強制的に取り込むとともに、その取り込んだ外気を各部屋に供給するためのものであり、内部に電動で回転するファン（図示しない）を備えている。本実施形態における外気供給ファン２は、取込口２１および供給口２２をそれぞれ１つ備えた１気筒ファンからなり、天井裏３００に配置されている。取込口２１には、屋外と連通している取込配管６が接続されており、前記取込配管６の先端には雨水の浸入や虫の侵入を防ぐためのベントキャップ６１が設けられている。
【００１６】
なお、外気供給ファン２の配置は天井裏３００に限定されるものではなく、壁内や床下などの屋内、および屋外であってもよい。
【００１７】
主配管３は、取り込まれた外気を各部屋２００ａ，２００ｂ，２００ｃの近傍まで供給するための配管であって、外気供給ファン２の供給口２２に連結されている。主配管の内径は、特に限定されるものではないが、本実施形態では、直径１００ｍｍ〜直径１５０ｍｍの範囲のものを用いている。
【００１８】
また、主配管３は、住宅１００の壁内、天井裏３００および床下の少なくともいずれか一つの空間に配置される。つまり、主配管３は、住人の生活の邪魔にならないように、各部屋２００ａ，２００ｂ，２００ｃを通らない天井裏３００等に配置されている。
【００１９】
分岐配管４ａ，４ｂ，４ｃは、主配管３から分岐して各部屋２００ａ，２００ｂ，２００ｃに外気を供給するための配管であり、前記主配管３と各部屋２００ａ，２００ｂ，２００ｃの内部空間とを連通するように設けられている。本実施形態における各分岐配管４ａ，４ｂ，４ｃの先端は、図１および図２に示すように、各部屋２００ａ，２００ｂ，２００ｃの天井位置で開口している。
【００２０】
なお、分岐配管４ａ，４ｂ，４ｃの開口位置は、各部屋２００ａ，２００ｂ，２００ｃの天井に限定されるものではなく、各部屋２００ａ，２００ｂ，２００ｃの壁面や床面で開口されていてもよい。
【００２１】
イオンクラスター発生装置５は、プラズマ放電させることで空気中の酸素分子をイオン化させ、イオンの集団（クラスター）からなるイオンクラスターを発生させることのできる装置である。本実施形態におけるイオンクラスター発生装置５は、図３および図４に示すように、円管状に形成された管状本体５１と、イオンクラスターを発生させるイオンクラスター発生素子５２と、前記イオンクラスター発生素子５２に電力を供給する電力供給部５３とを備えている。
【００２２】
管状本体５１は、円環状に形成されており、主配管３と同じ内径に形成されている。管状本体５１の両端には、一回り細く突出形成された接続口５１ａ，５１ａが形成されており、主配管４とは塩化ビニル製の異径ソケット（図示しない）によって接続されるように構成されている。
【００２３】
イオンクラスター発生素子５２は、プラズマ放電により空気中の酸素分子をイオン化し、イオンクラスターを発生させる素子である。本実施形態におけるイオンクラスター発生素子５２は、図３に示すように、プラズマ放電可能な金属により円筒状に形成されており、電力が供給されることにより、前記円筒状部分の表面全体がプラズマ放電して、イオンクラスターを発生させられるようになっている。このイオンクラスター発生素子５２の基端側には、絶縁部５２１を介して電力供給部５３の素子受け部５３１に挿入されて給電を受ける端子部５２２が形成されている。
【００２４】
電力供給部５３は、イオンクラスター発生素子５２に電力を供給するためのものである。本実施形態における電力供給部５２は、管状本体５１と一体的に構成されており、前記管状本体５１の内周面側にはイオンクラスター発生素子５２の端子部５２２を抜き差し可能でかつ給電可能に構成された素子受け部５３１を備えている。この電力供給部５３は、天井裏３００に設けられた電線（図示しない）に直結されており、電線から給電を受けられるように構成されている。なお、電力供給部５３への給電は電線との直結によるものに限定されるものではなく、天井裏３００に設けられたコンセントに接続することで給電を受けるように構成してもよい。
【００２５】
また、イオンクラスター発生装置５は、外気供給ファン２と当該外気供給ファン２に最も近い位置で分岐する分岐配管４ａとの間の主配管に設置されており、かつ本実施形態では、図２に示すように、天井点検口４００の近傍における天井裏３００の空間に配置された前記主配管３に設置されている。このイオンクラスター発生装置５は、特に限定されるものではないが、連結される主配管３等に対して重量がかからないように天井裏３００に吊り下げられた吊りボルトや天井裏３００に設置された取り付け台５４を用いて設置されることが好ましい。なお、天井点検口４００には開閉可能な蓋を有するが図面上省略している。
【００２６】
次に、本実施形態の住宅換気システム１における各構成の作用について説明する。
【００２７】
外気供給ファン２は、ファンを回転させることで屋外から外気を屋内に強制的に取り込み、その外気を供給口２２から排出することで主配管３に供給する。
【００２８】
イオンクラスター発生装置５では、イオンクラスター発生素子５２がプラズマ放電を開始する。外気は、前記プラズマ放電により酸素分子がイオン化される。これにより、イオンクラスター発生装置５を通過した外気は、イオンの集団（クラスター）が含まれることになる。本実施形態におけるイオンクラスター発生装置５では、イオンクラスター発生素子５２の表面全体がプラズマ放電するため、周囲を通過する外気をイオン化させることができる。
【００２９】
イオンクラスター化した外気は、主配管３を通り、各分岐配管４ａ，４ｂ，４ｃを経由して各部屋２００ａ，２００ｂ，２００ｃへと供給される。各部屋２００ａ，２００ｂ，２００ｃに供給されたイオンクラスター化した外気は、各部屋２００ａ，２００ｂ，２００ｃ内において高い殺菌効果やウィルス不活化効果、その他脱臭効果などを発揮する。また、各部屋２００ａ，２００ｂ，２００ｃに新鮮な外気が供給されるため、イオンクラスターの供給と同時に住宅１００の換気を行うことができる。
【００３０】
また、本実施形態におけるイオンクラスター発生装置５のイオンクラスター発生素子５１は、電力供給部５３の端子受け部５３１に対して抜き差し可能に構成されているため、容易に交換することができる。また、イオンクラスター発生装置５が天井点検口４００の近傍に設置されているため、イオンクラスター発生素子５２の交換や故障時の修理など、メンテナンスを容易に行うことができる。
【００３１】
以上のような本実施形態の住宅換気システム１によれば、以下の効果を奏することができる。
１．換気する外気をイオン化することにより、換気とともに各部屋２００ａ，２００ｂ，２００ｃにイオンクラスターを供給することができる。
２．イオンクラスター発生素子５２を使用期限に応じて交換可能に構成されているため、殺菌効果、ウィルス不活化効果および脱臭効果等を維持させることができる。
３．イオンクラスター発生装置５を天井点検口４００の近傍に配置させたため、イオンクラスター発生素子５２の交換や故障時の修理などのメンテナンスを容易に行うことができる。
【００３２】
なお、本考案に係る住宅換気システムは、前述した実施形態に限定されるものではなく、適宜変更することができる。例えば、主配管３とイオンクラスター発生装置５との接続方法は、異径ソケットによるものに限定されるものではなく、フランジ状に形成してボルト・ナットなどにより接続してもよい。
【符号の説明】
【００３３】
１  住宅換気システム
２  外気供給ファン
３  主配管
４ａ，４ｂ，４ｃ  分岐配管
５  イオンクラスター発生装置
６  取込配管
２１  取込口
２２  供給口
５１  管状本体
５１ａ  接続口
５２  イオンクラスター発生素子
５３  電力供給部
５４  取り付け台
６１  ベントキャップ
５２１  絶縁部
５２２  端子部
５３１  素子受け部
１００  住宅
２００ａ，２００ｂ，２００ｃ  部屋
３００  天井裏
４００  天井点検口
【図１】
0003232271.tif 000003
【図２】
0003232271.tif 000004
【図３】
0003232271.tif 000005
【図４】
0003232271.tif 000006